(57)【要約】【課題】Ｘ線装置など医用装置を操作する初心者にもその動作の理解が容易な、医用機器の取扱説明システムを提供すること。【解決手段】操作対象となる医用機器に接続され、電子ファイルとして記憶された取扱説明書を記憶する取扱説明書記憶手段と、この取扱説明書記憶手段に記憶された前記取扱説明書の特定の領域を指定する入力手段と、この入力手段により指定された前記領域を表示する説明モニタ１９と、前記説明モニタ１９に表示された前記領域の前記医用機器の部分が前記入力手段により特定されたときその特定された部分の動作を前記医用機器において行わせる実機作動手段と、を備えて成る。【選択図】図２
2006133382.tif 000002
【特許請求の範囲】
【請求項１】
操作対象となる医用機器に接続され、電子ファイルとして記憶された取扱説明書を記憶する取扱説明書記憶手段と、
この取扱説明書記憶手段に記憶された前記取扱説明書の特定の領域を指定する入力手段と、
この入力手段により指定された前記領域を表示する説明モニタと、
前記説明モニタに表示された前記領域の前記医用機器の部分が前記入力手段により特定されたときその特定された部分の動作を前記医用機器において行わせる実機作動手段と、
を備えて成ることを特徴とする医用機器の取扱説明システム。
【請求項２】
操作対象となる医用機器に接続され、電子ファイルとして記憶された取扱説明書を記憶する取扱説明書記憶手段と、
この取扱説明書記憶手段に記憶された前記取扱説明書の特定の領域を指定する入力手段と、
この入力手段により指定された前記領域を表示する説明モニタと、
この説明モニタに表示された前記領域に記載の語句を前記入力手段により特定されたときその語句に関する説明を前記説明モニタに表示する手段と、
前記説明モニタに表示された前記領域の前記医用機器の部分が前記入力手段により特定されたときその特定された部分の動作を前記医用機器において行わせる実機作動手段と、
を備えて成ることを特徴とする医用機器の取扱説明システム。
【請求項３】
操作対象となる医用機器に接続され、電子ファイルとして記憶された取扱説明書を記憶する取扱説明書記憶手段と、
この取扱説明書記憶手段に記憶された前記取扱説明書の特定の領域を指定する入力手段と、
この入力手段により指定された前記領域を表示する説明モニタと、
この説明モニタに表示された前記領域の前記医用機器の部分が前記入力手段により特定されたときその特定された部分の動作を前記医用機器において行わせる実機作動手段と、
前記入力手段による修正入力により、前記取扱説明書の電子ファイルを修正する修正手段と、
を備えて成ることを特徴とする医用機器の取扱説明システム。
【請求項４】
操作対象となる医用機器に接続され、電子ファイルとして記憶された取扱説明書を記憶する取扱説明書記憶手段と、
この取扱説明書記憶手段に記憶された前記取扱説明書の特定の領域を指定する入力手段と、
この入力手段により指定された前記領域を表示する説明モニタと、
この説明モニタに表示された前記領域に記載の語句を前記入力手段により特定されたときその語句に関する説明を前記説明モニタに表示する手段と、
前記説明モニタに表示された前記領域の前記医用機器の部分が前記入力手段により特定されたときその特定された部分の動作を前記医用機器において行わせる実機作動手段と、
前記入力手段による修正入力により、前記取扱説明書の電子ファイル又は前記実機作動手段による作動を修正する修正手段と、
を備えて成ることを特徴とする医用機器の取扱説明システム。
【請求項５】
前記実機作動手段により前記医用機器を動作させるとき、前記説明モニタにその動作に関する説明を表示又は音声により行うことを特徴とする請求項１乃至４のいずれかに記載の医用機器の取扱説明システム。
【請求項６】
前記医用機器はＸ線装置であることを特徴とする請求項１乃至５のいずれかに記載の医用機器の取扱説明システム。
【請求項７】
上記電子ファイルとして記憶されている取扱説明書は、外部の携帯記憶装置に読み出すことが可能なことを特徴とする請求項１乃至６のいずれかに記載の医用機器の取扱説明システム。
【発明の詳細な説明】
【技術分野】
【０００１】
本発明は、医用診断装置の操作方法などを説明するシステムに係り、特にその操作方法などを具体的に提示する医用機器の取扱説明システムに関する。
【背景技術】
【０００２】
操作者が、ある装置の使い方を知るには、通常、取扱説明書と呼ばれる詳細な説明書の頁を繰って該当する頁を探し出し、その内容を読む。しかし、装置が複雑になったり、汎用性のあるものであると、該当頁を探し出すのが困難であり、またたとえ探し出せても、どのようなことが記載されているのか、特に初心者にとっては理解困難なことが多い。
【０００３】
そこで、操作者にも所定の装置が理解し易い、システム（例えばヘルプ情報提供装置）が考えられている（例えば特許文献１参照）。しかし、この装置でも、初心者などにとっては使おうとする装置の動作、操作方法を理解することが困難であった。
【特許文献１】特開２０００−２３１４２９号公報
【発明の開示】
【発明が解決しようとする課題】
【０００４】
本発明は上記のような従来の操作者支援装置の問題点に鑑みてなされたもので、Ｘ線装置など医用装置を操作する初心者にもその動作の理解が容易な、医用機器の取扱説明システムを提供することを目的とする。
【課題を解決するための手段】
【０００５】
本発明の請求項１によれば、操作対象となる医用機器に接続され、電子ファイルとして記憶された取扱説明書を記憶する取扱説明書記憶手段と、この取扱説明書記憶手段に記憶された前記取扱説明書の特定の領域を指定する入力手段と、この入力手段により指定された前記領域を表示する説明モニタと、前記説明モニタに表示された前記領域の前記医用機器の部分が前記入力手段により特定されたときその特定された部分の動作を前記医用機器において行わせる実機作動手段と、を備えて成ることを特徴とする医用機器の取扱説明システムを提供する。
【０００６】
本発明の請求項２によれば、操作対象となる医用機器に接続され、電子ファイルとして記憶された取扱説明書を記憶する取扱説明書記憶手段と、この取扱説明書記憶手段に記憶された前記取扱説明書の特定の領域を指定する入力手段と、この入力手段により指定された前記領域を表示する説明モニタと、この説明モニタに表示された前記領域に記載の語句を前記入力手段により特定されたときその語句に関する説明を前記説明モニタに表示する手段と、前記説明モニタに表示された前記領域の前記医用機器の部分が前記入力手段により特定されたときその特定された部分の動作を前記医用機器において行わせる実機作動手段と、を備えて成ることを特徴とする医用機器の取扱説明システムを提供する。
【０００７】
本発明の請求項３によれば、操作対象となる医用機器に接続され、電子ファイルとして記憶された取扱説明書を記憶する取扱説明書記憶手段と、この取扱説明書記憶手段に記憶された前記取扱説明書の特定の領域を指定する入力手段と、この入力手段により指定された前記領域を表示する説明モニタと、この説明モニタに表示された前記領域の前記医用機器の部分が前記入力手段により特定されたときその特定された部分の動作を前記医用機器において行わせる実機作動手段と、前記入力手段による修正入力により、前記取扱説明書の電子ファイルを修正する修正手段と、を備えて成ることを特徴とする医用機器の取扱説明システムを提供する。
【０００８】
本発明の請求項４によれば、操作対象となる医用機器に接続され、電子ファイルとして記憶された取扱説明書を記憶する取扱説明書記憶手段と、この取扱説明書記憶手段に記憶された前記取扱説明書の特定の領域を指定する入力手段と、この入力手段により指定された前記領域を表示する説明モニタと、この説明モニタに表示された前記領域に記載の語句を前記入力手段により特定されたときその語句に関する説明を前記説明モニタに表示する手段と、前記説明モニタに表示された前記領域の前記医用機器の部分が前記入力手段により特定されたときその特定された部分の動作を前記医用機器において行わせる実機作動手段と、前記入力手段による修正入力により、前記取扱説明書の電子ファイル又は前記実機作動手段による作動を修正する修正手段と、を備えて成ることを特徴とする医用機器の取扱説明システムを提供する。
【発明の効果】
【０００９】
本発明によれば、医用装置を操作する初心者にもその動作の理解が容易な、医用機器の取扱説明システムが得られる効果がある。
【発明を実施するための最良の形態】
【００１０】
以下、本発明の実施形態について図面を用いて説明する。図１に本発明一実施形態の構成例を示す。この取扱説明システムは、取扱いの対象装置となるＸ線装置１１と、このＸ線装置１１の操作の画面上に表示など行うパーソナルコンピュータ（ＰＣ）装置１２とから成る。Ｘ線装置１１は、Ｘ線を発生させるＸ線高電圧装置１３と、Ｘ線管装置やＸ線検出器を支持しＸ線照射を多くの方向から行わせるための保持装置１４と、Ｘ線診断検査の患者を保持する寝台１５と、Ｘ線診断用の画像を表示するための画像モニタ１６と、診断用の画像処理やシステム制御を行うデジタルラジオグラフ１７と、により構成される。一方、ＰＣ装置１２は、本体１８と取扱説明を表示する説明モニタ１９と、図示していないがキーボード、マウスなどの入力装置とから成る。
【００１１】
図２に、上記Ｘ線装置１１とＰＣ装置１２の回路構成の具体的な例を示す。図２においてＸ線装置１１は、上述の保持装置１４と、寝台１５と、デジタルラジオグラフ１７と、コンソール２１とから成る。デジタルラジオグラフ１７は、制御部２２と、この制御部２２により各々制御されるデータ格納部２３、データ入出力部２４、デジタルラジオグラフ処理部２５、制御信号入力部２６、制御信号出力部２７から成る。
【００１２】
保持装置１４は、デジタルラジオグラフ１７の制御信号出力部２７からの制御信号を受ける保持装置制御信号入力部２８と、この保持装置制御信号入力部２８からの制御信号を受けて保持装置における制御処理を行う保持装置処理部２９とから成る。寝台１５は、デジタルラジオグラフ１７の制御信号出力部２７からの制御信号を受ける寝台制御信号入力部３０と、この寝台制御信号入力部３０からの制御信号を受けて寝台の制御処理を行う寝台処理部３１とから成る。
【００１３】
コンソール２１は、Ｘ線システムの各種の操作に使用されるものであり、スイッチ回路３２と、このスイッチ回路３２の出力を受けて制御信号をデジタルラジオグラフ１７の制御信号入力部２６に送る制御信号出力部３３とから成る。
【００１４】
ＰＣ装置１２は、本体１８と、この本体の出力を表示する説明モニタ１９と、本体１８に制御信号を入力する入力部３４とから成る。この装置の種々の処理を行うＰＣ処理部３５と、デジタルラジオグラフ１７のデータ入出力部２４とのデータの授受を行うデータ入出力部３６と、入力部３４からの信号をＰＣ処理部３５に入力するインターフェース機能を有する入力インターフェース（Ｉ／Ｆ）部３７と、ＰＣ処理部３５からの信号を説明モニタ１９に送るインターフェース機能を有する出力インターフェース（Ｉ／Ｆ）部３８とから成る。なお説明モニタ１９の画面上に表示される画像をポインタで特定しマウスでクリックする操作など、説明モニタ１９への入力が、入力部３４を介して本体１８に送られることもある。
【００１５】
次にこの装置の動作を、図３に示した全体のフローチャートを示す図などを用いて説明する。Ｘ線装置１１の取扱説明書の電子ファイルは、予めデータ格納部２３に記憶されている。Ｘ線装置１１はその操作（動作）を知るためにＰＣ装置１２に接続される。そして、入力部３４からキーボードやマウスにより上記取扱説明書の電子ファイルの要求命令が入力されたら、入力Ｉ／Ｆ部３７、ＰＣ処理部３５、データ入出力部３６からデジタルラジオグラフ１７内のデータ入出力部２４を介して、データ格納部２３にアクセスされ取扱説明書のデータは読み出され、データ入出力部２４、データ入出力部３６を介して、ＰＣ処理部３５に一旦、保存される（ステップＳ３０１）。
【００１６】
操作者は入力部３４のキーボードから頁を指定入力しあるいは、説明モニタ１９の画面上に表示されているポインタをマウスによって移動させる。その際移動した場所の表示が反転もしくは色の変化により画面上でポインタのある位置が確認される。
【００１７】
そして、目次の見たい頁をクリックする。すると、ＰＣ処理部３５に保存されている取扱説明書の電子ファイルのその頁にジャンプし、見たい頁を見ることが可能になる。すなわち、指定された頁の情報は、入力部３４から入力Ｉ／Ｆ部３７を経由してＰＣ処理部３５に送られ、取扱説明書の該当頁のデータが出力表示部３８から説明モニタ１９に送られて、その頁が画面上に表示される（ステップＳ３０２）。
【００１８】
ステップＳ３０３では、取扱説明書の表示されている頁の語句を操作者がよく理解できないときには、やはり入力部３４から入力しその旨をＰＣ処理部３５に伝える（ステップＳ３０３）。その場合にはＰＣ処理部３５は、取扱説明書内であるいは別の電子ファイルでその語句に対応する語句の説明がある箇所を探してその部分を説明モニタに表示する（ステップＳ３０４）。
【００１９】
また、取扱説明書に記載されている語句がわかっているがその装置の動作が理解できないとき（ステップＳ３０３でＮのとき）、及び語句に関する疑問は解消したがその装置の具体的な動作が理解できないとき（ステップＳ３０３でＹでステップＳ３０４を経由したとき）、ステップＳ３０５からステップＳ３０６に移り、ＰＣ装置１２に接続されているＸ線装置１１（実機）を実際に動作させる。そして、その動作がどのようなものかなど、その動作の説明を補助的に説明モニタ１９に表示させる。
【００２０】
ステップＳ３０７では、該当頁を理解できたかを操作者に確認させ、まだ理解できていない場合には、ステップＳ３０７からステップＳ３０３に戻る。一方、該当頁の内容・動作を理解できたならば、次のステップＳ３０８で、操作者に装置全体の操作が理解できたか確認させる。まだ全体を理解できていない場合には、ステップＳ３０８からステップＳ３０２に戻って再び取扱説明書の見たい頁（理解できない頁）を表示させる。上記と同様な操作を行う。ステップＳ３０８において、全体の操作が完全に理解できたときには終了となる。
【００２１】
次に個々の具体的な動作を表示する例について説明する。例えば取扱説明書を読んでいて、コンソールの意味、機能が理解できなかった場合には、その旨、入力部３４から入力する。すると、説明モニタ１９の画面上で説明される。コンソール上のスイッチの機能を説明する場合には、例えば図４に示すように、左側に、各スイッチを有するコンソールの正面図を表示し、右側にスイッチ名とその動作を説明が表示される。例えば表示されているスイッチ４１は動画カタログスイッチであり、このスイッチを動作させれば動画カタログが表示されることが説明される。この動画カタログの説明部分にはアンダーラインが表示されており、動画とは何か理解できない場合にはこの部分をマウスでクリックすることによりリンク付けされている、取扱説明書の電子ファイルにおける動画の説明記載部分に飛んでその内容が説明モニタ１９の画面上に表示される。
【００２２】
説明モニタ１９の画面上に表示されているスイッチ４２、４３についても同様に、おのおの参照カタログスイッチ、ストップウォッチのスイッチであることなどが表示される。
【００２３】
図５は、取扱説明書の内容として、Ｘ線装置１１の全体の処理・操作のフローを、説明モニタ１９の画面上に表示させた例である。
【００２４】
まず、説明モニタ１９の画面上５０に図５に示すようにその全体のフローを表示させる。まず、入力部３４のマウスもしくはキーボードを用いて画面上のポインタを、図５の開始５１部分に移動させる。その際、移動した場所の表示が反転もしくは色の変化によりそのポインタが開始５１の部分に来ていることが確認される。この場所の選択（マウスのクリック、キーボードの入力操作）をすることにより、フローが開始状態となり、次のブロックの検査予約５２が反転表示する。
【００２５】
次にマウスのクリック、キーボードの入力操作により、この検査予約５２部分を選択すると、検査予約情報に割り付けられた操作情報信号が、ＰＣ処理部３５からデータ入出力部３６を介してデジタルラジオグラフ１７のデータ入出力部２４に入力される。操作情報信号はこのデータ入出力部２４から、制御部２２に伝送される。制御部２２では、伝送されてきた捜査情報に応じて、デジタルラジオグラフ処理部２５、又は制御信号出力部２７を介し、保持装置制御信号入力部２８を通り保持装置処理部２９あるいは寝台制御信号入力部３０を通って寝台処理部３１に各処理を指示する。その指示に従ってＸ線装置１１が検査予約の動作がなされると共に、説明モニタ１９にはそのときの動作の説明が表示される。この表示と合わせてあるいは、音声だけでこの説明を補助的に行うようにしてもよい。
【００２６】
各部における検査予約の動作が終了すると、動作終了通知が、デジタルラジオグラフ１７の制御部２２からデータ入出力部２４，３６を介してＰＣ処理部３５に送られ、次のブロックが反転表示される制御信号が表示出力部３８に送られる。そして、説明モニタ１９の画面上の反転表示は検査予約５２部分から次のブロックの患者選択５３部分に移動する。この患者選択の場合のＸ線装置１１における動作が、上記と同様にして指示され、実際の操作のときのようにＸ線装置１１が動作する。
【００２７】
以下同様にして、検査開始５４、撮影種別選択５５、透視実施５６、撮影終了５７、１検査終了５８、全検査終了５９、完了６０の各ブロックが順次反転表示されそのＸ線装置１１における動作が実際になされ、そのときの動作の説明及び表示が補助的に説明モニタ１９の画面上でなされる。
【００２８】
１通りすべての動作が完了したなら操作者に理解できたか説明モニタ１９の画面上で問い合わせ、操作者がもう一度確認したい動作があれば、そのブロックを入力部３４から選択するとそのＸ線装置における動作が再びなされる。
【００２９】
上記Ｘ線装置１１の動作が自動的に順次、なされるように説明したが、最初から各操作のブロックを選択することによってその操作に対応するＸ線装置の実際の動作がなされるようにしてもよい。
【００３０】
このように、上記実施形態によれば、Ｘ線装置の取扱説明書に記載の語句が理解できない場合にも、記載の動作、従ってそのときの操作が理解できないときにも、具体的に説明され実機を動かして説明される。したがって、この実施形態によれば取扱説明書の内容を初心者であっても具体的に理解できる利点がある。
【００３１】
ところで、上記実施形態では、取扱説明書は完成され、その内容を表示説明するだけであったが、本発明ではその内容を編集するようにすることも可能である。
【００３２】
このような本発明の他の実施形態を、次に説明する。この実施形態の構成は、図２においてＰＣ処理部３５において、取扱説明書の電子ファイルを修正することもできる機能を有する以外は、上記の実施形態の場合と同様である。そして、図６にこの実施形態における全体動作のフローを示す。
【００３３】
図６において、ステップＳ６０１では、取扱説明書の電子ファイルを上記実施形態の場合と同様に、データ格納部２３からＤＣ処理部３５に読み出す。ステップＳ６０２では取扱説明書の見たい頁を説明モニタ１９の画面上に表示させる。次のステップＳ６０３では、取扱説明書の語句の説明が理解できないかチェックし、理解できないときには、ステップＳ６０４でその語句の説明を表示させる。
【００３４】
ステップＳ６０５では、語句の説明を修正するかどうか説明モニタに表示させて操作者に確認する。説明が不適当でありその説明を修正する場合には、ステップＳ６０６で、操作者は説明モニタ１９に表示される情報を、例えば入力部３４からキーボードで入力することにより語句の説明を修正する。
【００３５】
次のステップＳ６０７では、取扱説明書に記載の動作が理解できないか操作者に確認し、理解できない場合には、ステップＳ６０８で実機を動作させ補助的に説明モニタ１９でその動作の説明を行う。ステップＳ６０９では、説明と実機の動作の関係を変えるか、すなわちその動作の説明としてＸ線装置の動作が適当でないと判断した場合には、ステップＳ６１０に移ってその関係などを修正する。この場合の修正は表示されているフローの修正などかなり広範な修正を行うことができるように柔軟に構成されている。
【００３６】
ステップＳ６０７で取扱説明書に記載の動作が理解できるときには、ステップＳ６１１に移る。
【００３７】
ステップＳ６１１で該当頁を理解できたか確認し、理解できない場合には、ステップＳ６０３に戻って再度同様な処理を行う。該当頁を理解できた場合には、ステップＳ６１２でＸ線装置の全体の操作が理解できたか確認し、できなかった場合にはステップＳ６０２に戻って取扱説明書の見たい頁を表示する。以下上記と同様な操作を行う。ステップＳ６１２で全体の操作を理解できたときには、ステップＳ６１３で修正された取扱説明書の電子ファイルのデータを、ＰＣ処理部３５からデータ入出力部３６，２４を介してデータ格納部２３に格納した後、終了となる。
【００３８】
上記ステップＳＳ６０６における修正は例えば、図４に示したコンソールの説明が適切でないとき、図７（ａ）に示す説明の部分を図７（ｂ）に示すように修正することである。この場合には、「動画カタログ」が「撮影像サムネール」に、またその機能の説明が「動画のカタログを表示する」から、「撮影像のサムネールを表示する」に修正されている。参照カタログなどについても同様に修正されている。
【００３９】
また、図６のステップＳ６１０における修正の例を図８（ａ）（ｂ）を用いて説明する。例えば図８（ａ）に示すように、Ｘ線装置１１の全体動作のフローが、例えば、開始、検査予約、患者選択、検査開始、撮影種別選択、透視実施、撮影実施、・・・であったとするとする。
【００４０】
このとき、「開始」を「スタート」に「検査予約」と「患者選択」を「患者情報入力」に、また「検査開始」を「患者開始」に修正する。更に、「撮影種別選択」と「透視実施」の順序を変更する。このような修正処理を施すと図８（ｂ）に示すようになる。取扱説明書の電子ファイルが、ＰＣ処理部３５においてこのように書き換えられる。このような修正が施された取扱説明書の電子ファイルは、使い終わると、データ入出力部３６，２４を介してデータ格納部２３に格納される。
【００４１】
本発明のこの実施形態によれば、取扱説明書の電子ファイルを修正することが可能であり、初心者にとって更に理解し易く誤解の少ない取扱説明書を作成することができる利点がある。
【００４２】
上記実施形態では、電子ファイル化された取扱説明書が操作対象のＸ線装置に記憶されていた。しかし、ＰＣ装置に記憶しておくようにしておいてもよい。
【００４３】
ところで、本発明による取扱説明システムは、例えばネットワークを介して複数の装置にＰＣ装置を接続し共用するようにすることも可能であり、また取扱説明書の電子ファイルを携帯することができるようにすることも可能である。例えば、図９に示すようにＸ線装置９１ａ，９１ｂとＰＣ装置９２ａ，９２ｂをネットワーク９３で接続し、これらのＸ線装置９１ａ，９１ｂの動作を上記実施形態で示したようにＰＣ装置９２ａあるいは、ＰＣ装置９２ｂで知ることができる。
【００４４】
また、電子ファイルの取扱説明書をＸ線装置９１ａから読み出し、携帯端末９４にダウンロードしたり、この携帯端末９４から電子ペーパー装置９５ａに記憶させたりして、これらの電子ファイルを子と運ぶことができる。また、ＰＣ装置９２ａを介して電子ペーパー装置９５ｂに記憶させるようにすることもできる。その他、ＰＣ装置９２ａ，９２ｂから独立した記憶装置９６に、Ｘ線装置９１ａ，９１ｂの取扱説明書を記憶させておくようにすることも可能である。
【００４５】
ところで上記実施形態の説明では、操作対象がＸ線装置の場合について述べたが、他の医用装置についても本発明は適用可能である。また、上記実施形態では語句の説明が理解できない場合と、動作など他の部分が理解できない場合とに分けて理解させるものについて説明した。しかし、本発明は実機の実際の動作を行わせて説明することが重要であり、語句の説明の表示は必ずしも必要ではない。
【００４６】
また上記実施形態では、実機を動作させるとき、説明モニタにその説明を表示する場合について述べた。しかし、操作者は実機の動作を見ることも必要であり、説明モニタで表示させるだけでなく音声でも説明するようにしてもよいし、音声だけで説明するようにすることも可能である。音声の説明を採用すれば操作者は実機の動作のみに集中して観察することができる効果がある。しかし、説明モニタによる説明は、本発明において必ずしも必要で必要ではない。
【００４７】
本発明は特許請求の範囲に記載した技術思想の範囲内で種々変形して実施することが可能である。
【図面の簡単な説明】
【００４８】
【図１】本発明一実施形態の構成例を示す図。
【図２】本発明一実施形態の回路的構成例を示す図。
【図３】本発明一実施形態の動作を説明するための図。
【図４】本発明一実施形態における説明モニタ画面の表示例を示す図。
【図５】本発明一実施形態における説明モニタ画面のＸ線装置の全体の処理の流れの表示例を示す図。
【図６】本発明の他の実施形態における動作を説明するための図。
【図７】本発明の他の実施形態において取扱説明書の修正を行うときの説明モニタの表示画面例を示す図。
【図８】本発明の他の実施形態において取扱説明書の処理の流れの修正を行うときの説明モニタの表示画面例を示す図。
【図９】本発明更に他の実施形態の構成例を示す図。
【符号の説明】
【００４９】
１１・・・Ｘ線装置、
１２，９２ａ，９２ｂ・・・パーソナルコンピュータ（ＰＣ）装置、
１３・・・Ｘ線高電圧装置、
１４・・・保持装置、
１５・・・・寝台、
１６・・・画像モニタ、
１７・・・デジタルラジオグラフ、
１８・・・本体、
１９・・・説明モニタ、
２１・・・コンソール、
２２・・・制御部、
２３・・・データ格納部、
２４・・・データ入出力部、
２５・・・デジタルラジオグラフ処理部、
２６・・・制御信号入力部、
２７・・・制御信号出力部、
２８・・・保持装置制御信号入力部、
２９・・・保持装置処理部、
３０・・・寝台制御信号入力部、
３１・・・寝台処理部、
３２・・・スイッチ回路、
３３・・・制御信号出力部、
３４・・・入力部、
３５・・・ＰＣ処理部、
４１，４２，４３・・・スイッチ、
９１ａ，９１ｂ・・・Ｘ線装置、
９３・・・ネットワーク、
９４・・・携帯端末、
９５ａ，９５ｂ・・・電子ペーパー装置、
９６・・・記憶装置。
【図１】
2006133382.tif 000003
【図２】
2006133382.tif 000004
【図３】
2006133382.tif 000005
【図４】
2006133382.tif 000006
【図５】
2006133382.tif 000007
【図６】
2006133382.tif 000008
【図７】
2006133382.tif 000009
【図８】
2006133382.tif 000010
【図９】
2006133382.tif 000011